(57)【特許請求の範囲】
【請求項１】
情報を表示するとともに情報の入力が可能な表示操作部を有する可搬型の情報端末装置において、
前記表示操作部の第１表示領域内に所定の情報を示すアイコンを表示する第１表示手段と、
前記第１表示領域内に表示されるアイコンのカテゴリを択一的に選択するための選択ボタンを前記表示操作部の第２表示領域内に複数並べて表示する第２表示手段と、
前記第２表示領域に表示された所定の選択ボタンが選択された場合には、当該選択ボタンが示すカテゴリに属するアイコンを前記第１表示領域に表示し、前記第２表示領域に表示された所定の選択ボタンが、選択ボタンの並び方向に直交する方向に移動された場合には、当該選択ボタンが示すカテゴリに属するアイコンを前記第１表示領域に表示するとともに、前記移動された選択ボタンの選択状態を維持し、他の選択ボタンが選択された場合には、選択状態にある全ての選択ボタンに対応するカテゴリのアイコンを表示する制御を行う制御手段と、
を有することを特徴とする情報端末装置。
【請求項２】
請求項１記載の情報端末装置において、
前記第２表示領域には、前記第１表示領域に表示されるアイコンを配列する方法を決定するための配列決定ボタンが表示されており、
前記制御手段は、前記配列決定ボタンが操作された場合には、当該配列決定ボタンに対応する配列方法で、前記第１表示領域にアイコンを表示する、
ことを特徴とする情報端末装置。
【請求項３】
請求項２記載の情報端末装置において、
前記第１表示領域には、地図情報と、当該地図上に存在する施設を示すアイコンとが表示され、
前記第２表示領域には、前記施設のカテゴリを選択するための選択ボタンが表示され、
前記制御手段は、所定の選択ボタンが操作された場合には、当該選択ボタンに対応するカテゴリのアイコンのみを前記第１表示領域に表示された地図情報上に表示する、
ことを特徴とする情報端末装置。
【請求項４】
請求項２記載の情報端末装置において、
前記第１表示領域には、再生可能なコンテンツを示すアイコンが表示され、
前記第２表示領域には、前記コンテンツのカテゴリを選択するための選択ボタンが表示され、
前記制御手段は、所定の選択ボタンが操作された場合には、当該選択ボタンに対応するカテゴリのアイコンのみを前記第１表示領域に表示する、
ことを特徴とする情報端末装置。
【請求項５】
情報を表示するとともに情報の入力が可能な表示操作部を有する可搬型の情報端末装置の情報処理方法において、
前記表示操作部の第１表示領域内に所定の情報を示すアイコンを表示する第１表示ステップと、
前記第１表示領域内に表示されるアイコンのカテゴリを択一的に選択するための選択ボタンを前記表示操作部の第２表示領域内に複数並べて表示する第２表示ステップと、
前記第２表示領域に表示された所定の選択ボタンが選択された場合には、当該選択ボタンが示すカテゴリに属するアイコンを前記第１表示領域に表示し、前記第２表示領域に表示された所定の選択ボタンが、選択ボタンの並び方向に直交する方向に移動された場合には、当該選択ボタンが示すカテゴリに属するアイコンを前記第１表示領域に表示するとともに、前記移動された選択ボタンの選択状態を維持し、他の選択ボタンが選択された場合には、選択状態にある全ての選択ボタンに対応するカテゴリのアイコンを表示する制御を行う制御ステップと、
を有することを特徴とする情報端末装置の情報処理方法。
【請求項６】
情報を表示するとともに情報の入力が可能な表示操作部を有する可搬型の情報端末装置の情報処理プログラムにおいて、
前記表示操作部の第１表示領域内に所定の情報を示すアイコンを表示する第１表示手段、
前記第１表示領域内に表示されるアイコンのカテゴリを択一的に選択するための選択ボタンを前記表示操作部の第２表示領域内に複数並べて表示する第２表示手段、
前記第２表示領域に表示された所定の選択ボタンが選択された場合には、当該選択ボタンが示すカテゴリに属するアイコンを前記第１表示領域に表示し、前記第２表示領域に表示された所定の選択ボタンが、選択ボタンの並び方向に直交する方向に移動された場合には、当該選択ボタンが示すカテゴリに属するアイコンを前記第１表示領域に表示するとともに、前記移動された選択ボタンの選択状態を維持し、他の選択ボタンが選択された場合には、選択状態にある全ての選択ボタンに対応するカテゴリのアイコンを表示する制御を行う制御手段、
としてコンピュータを機能させることを特徴とする情報処理プログラム。
【発明の詳細な説明】
【技術分野】
【０００１】
本発明は、情報端末装置、情報端末装置の情報処理方法、および、情報処理プログラムに関する。
【背景技術】
【０００２】
近年、種々の情報を扱うことが可能な情報端末装置（例えば、特許文献１参照）が市場に多数流通している。
【特許文献１】特開平０７−０２７８４４号公報
【発明の開示】
【発明が解決しようとする課題】
【０００３】
ところで、種々の情報を扱うためには、それぞれの情報に対応した処理項目を列挙するメニューが必要になるが、扱う情報の種類または個数が多い場合には、ユーザインタフェースが複雑となって、操作性が低下するという問題点がある。
【０００４】
そこで、本発明は、操作性が高いユーザインタフェースを有する情報端末装置、情報端末装置の情報処理方法、および、情報処理プログラムを提供することを目的とする。
【課題を解決するための手段】
【０００５】
上記課題を解決するため、本発明は、情報を表示するとともに情報の入力が可能な表示操作部を有する可搬型の情報端末装置において、前記表示操作部の第１表示領域内に所定の情報を示すアイコンを表示する第１表示手段と、前記第１表示領域内に表示されるアイコンのカテゴリを択一的に選択するための選択ボタンを前記表示操作部の第２表示領域内に複数並べて表示する第２表示手段と、前記第２表示領域に表示された所定の選択ボタンが選択された場合には、当該選択ボタンが示すカテゴリに属するアイコンを前記第１表示領域に表示し、前記第２表示領域に表示された所定の選択ボタンが、選択ボタンの並び方向に直交する方向に移動された場合には、当該選択ボタンが示すカテゴリに属するアイコンを前記第１表示領域に表示するとともに、前記移動された選択ボタンの選択状態を維持し、他の選択ボタンが選択された場合には、選択状態にある全ての選択ボタンに対応するカテゴリのアイコンを表示する制御を行う制御手段と、を有することを特徴とする情報端末装置が提供される。
この構成によれば、選択ボタンが示すカテゴリに属するアイコンのみを第１表示領域に表示し、第２表示領域に表示された所定の選択ボタンが、選択ボタンの並び方向に直交する方向に移動された場合には、当該選択ボタンが示すカテゴリに属するアイコンを第１表示領域に表示するとともに、他の選択ボタンの選択を可能とする。このため、選択ボタンを並び方向に直交する方向に移動した場合には、複数の選択ボタンによる選択が可能になるため、操作性が高いユーザインタフェースを有する情報端末装置を提供することができる。
【０００６】
また、上記構成において、前記第２表示領域には、前記第１表示領域に表示されるアイコンを配列する方法を決定するための配列決定ボタンが表示されており、前記制御手段は、前記配列決定ボタンが操作された場合には、当該配列決定ボタンに対応する配列方法で、前記第１表示領域にアイコンを表示する、ことを特徴とする情報端末装置が提供される。
この構成によれば、配列決定ボタンによってアイコンの整列順序を決めることができる。このため、所望の順序でアイコンを配列することができるため、目的のアイコンを迅速に見つけ出すことができる。
【０００７】
また、上記構成において、前記第１表示領域には、地図情報と、当該地図上に存在する施設を示すアイコンとが表示され、前記第２表示領域には、前記施設のカテゴリを選択するための選択ボタンが表示され、前記制御手段は、所定の選択ボタンが操作された場合には、当該選択ボタンに対応するカテゴリのアイコンのみを前記第１表示領域に表示された地図情報上に表示する、ことを特徴とする情報端末装置が提供される。
この構成によれば、選択ボタンを操作することにより、地図上に存在する施設のアイコンのうち、所望のカテゴリのアイコンを選択することができる。このため、選択ボタンを適宜操作することにより、所望のカテゴリの施設を地図上に表示させることが可能になるため、目的の施設を迅速に見つけ出すことができる。
【０００８】
また、上記構成において、前記第１表示領域には、再生可能なコンテンツを示すアイコンが表示され、前記第２表示領域には、前記コンテンツのカテゴリを選択するための選択ボタンが表示され、前記制御手段は、所定の選択ボタンが操作された場合には、当該選択ボタンに対応するカテゴリのアイコンのみを前記第１表示領域に表示する、ことを特徴とする情報端末装置が提供される。
この構成によれば、選択ボタンを操作することにより、表示させるコンテンツのアイコンを選択することができる。このため、選択ボタンを適宜操作することにより、所望のカテゴリのコンテンツを迅速に見つけ出すことができる。
【０００９】
また、上記課題を解決するため、本発明は、情報を表示するとともに情報の入力が可能な表示操作部を有する可搬型の情報端末装置の情報処理方法において、前記表示操作部の第１表示領域内に所定の情報を示すアイコンを表示する第１表示ステップと、前記第１表示領域内に表示されるアイコンのカテゴリを択一的に選択するための選択ボタンを前記表示操作部の第２表示領域内に複数並べて表示する第２表示ステップと、前記第２表示領域に表示された所定の選択ボタンが選択された場合には、当該選択ボタンが示すカテゴリに属するアイコンを前記第１表示領域に表示し、前記第２表示領域に表示された所定の選択ボタンが、選択ボタンの並び方向に直交する方向に移動された場合には、当該選択ボタンが示すカテゴリに属するアイコンを前記第１表示領域に表示するとともに、前記移動された選択ボタンの選択状態を維持し、他の選択ボタンが選択された場合には、選択状態にある全ての選択ボタンに対応するカテゴリのアイコンを表示する制御を行う制御ステップとを有することを特徴とする情報端末装置の情報処理方法が提供される。
この構成によれば、選択ボタンが示すカテゴリに属するアイコンのみを第１表示領域に表示し、第２表示領域に表示された所定の選択ボタンが、選択ボタンの並び方向に直交する方向に移動された場合には、当該選択ボタンが示すカテゴリに属するアイコンを第１表示領域に表示するとともに、他の選択ボタンの選択を可能とする。このため、選択ボタンを並び方向に直交する方向に移動した場合には、複数の選択ボタンによる選択が可能になるため、操作性が高いユーザインタフェースを有する情報端末装置の情報処理方法を提供することができる。
【００１０】
また、上記課題を解決するため、本発明は、情報を表示するとともに情報の入力が可能な表示操作部を有する可搬型の情報端末装置の情報処理プログラムにおいて、前記表示操作部の第１表示領域内に所定の情報を示すアイコンを表示する第１表示手段、前記第１表示領域内に表示されるアイコンのカテゴリを択一的に選択するための選択ボタンを前記表示操作部の第２表示領域内に複数並べて表示する第２表示手段、前記第２表示領域に表示された所定の選択ボタンが選択された場合には、当該選択ボタンが示すカテゴリに属するアイコンを前記第１表示領域に表示し、前記第２表示領域に表示された所定の選択ボタンが、選択ボタンの並び方向に直交する方向に移動された場合には、当該選択ボタンが示すカテゴリに属するアイコンを前記第１表示領域に表示するとともに、前記移動された選択ボタンの選択状態を維持し、他の選択ボタンが選択された場合には、選択状態にある全ての選択ボタンに対応するカテゴリのアイコンを表示する制御を行う制御手段、としてコンピュータを機能させることを特徴とする情報処理プログラムが提供される。
この構成によれば、選択ボタンが示すカテゴリに属するアイコンのみを第１表示領域に表示し、第２表示領域に表示された所定の選択ボタンが、選択ボタンの並び方向に直交する方向に移動された場合には、当該選択ボタンが示すカテゴリに属するアイコンを第１表示領域に表示するとともに、他の選択ボタンの選択を可能とする。このため、選択ボタンを並び方向に直交する方向に移動した場合には、複数の選択ボタンによる選択が可能になるため、操作性が高いユーザインタフェースを有する情報処理プログラムを提供することができる。
なお、この制御プログラムは、フレキシブルディスクやハードディスク装置等の磁気的記録媒体、ＭＯ等の光磁気記録媒体、ＣＤ−Ｒ、ＣＤ−ＲＷ、ＤＶＤ±Ｒ、ＤＶＤ±ＲＷ、ＤＶＤ−ＲＡＭ等の光学式記録媒体、半導体記憶デバイスを用いた記憶装置等の各種記録媒体に、コンピュータによって読み取り可能な形式で記録された形態としてもよい。
【発明の効果】
【００１１】
本発明によれば、操作性の高い情報端末装置、情報端末装置の情報処理方法、および、情報処理プログラムを提供することができる。
【発明を実施するための最良の形態】
【００１２】
（Ａ）実施の形態の構成の説明
以下、図面を参照して本発明の一実施の形態を説明する。
図１は、本発明の実施の形態に係る情報端末装置の構成例を示す外観図である。この図に示すように、本発明の実施の形態に係る情報端末装置１０は、略直方体形状を有する筐体１１を有し、筐体１１の表面（図１の奥行き方向手前側の面）には、後述するＬＣＤ（Liquid Crystal Display）３０およびタッチパネル３１が重畳して配置されており、また、その右側（図１の右側）には、ハードウエアボタン３３ａ〜３３ｃが設けられている。さらに、筐体１１の右側側面（図１の右側の側面）には、各種接続端子３５ａ〜３５ｄが設けられている。ここで、ＬＣＤ３０は、後述する描画処理部２０ｅから供給される映像信号を表示させる。タッチパネル３１は、ユーザの手またはペン型入力部材によって所定の部位が指示された場合には、当該部位の座標を示す情報を生成して出力する。なお、タッチパネル３１は、ＬＣＤ３０の表示部に重畳するように配置されており、また、タッチパネル３１は透明な部材によって構成されているので、ユーザは、ＬＣＤ３０に表示された情報を参照しながら、タッチパネル３１を操作して情報を入力することができる。
【００１３】
ハードウエアボタン３３ａは、後述するように、ＬＣＤ３０に表示されている画面の階層を変化させる場合に操作される。ハードウエアボタン３３ｂは、後述するホームメニュー画面に移動する場合に操作される。また、ハードウエアボタン３３ｃは、後述する地図画面に移動する場合に操作される。接続端子３５ａには、ヘッドフォンまたはイヤフォンが接続され、ヘッドフォンまたはイヤフォンに対して音声信号を出力する。接続端子３５ｂには、電源を供給する電源ケーブルが接続され、図示せぬＡＣ（Alternate Current）アダプタから直流電力が供給される。接続端子３５ｃには、ＩＥＥＥ（Institute of Electrical and Electronics Engineers）１３９４ケーブルが接続され、例えば、パーソナルコンピュータまたはビデオカメラ等との間で映像信号等を授受する。接続端子３５ｄには、ＵＳＢ（Universal Serial Bus）ケーブルが接続され、例えば、パーソナルコンピュータまたはディジタルカメラ等との間で画像、音声、映像等の情報を授受する。
【００１４】
図２は、情報端末装置１０の電気的な構成例を示すブロック図である。この図に示すように、情報端末装置１０は、ＣＰＵ（Central Processing Unit）２０ａ、ＲＯＭ（Read Only Memory）２０ｂ、ＲＡＭ（Random Access Memory）２０ｃ、ＨＤＤ（Hard Disk Drive）２０ｄ、描画処理部２０ｅ、Ｉ／Ｆ（Interface）２０ｆ、バス２０ｇ、ＬＣＤ３０、タッチパネル３１、ＧＰＳ（Global Positioning System）受信部３２、入力部３３、再生部３４、および、接続端子３５を有している。ここで、ＣＰＵ２０ａは、ＲＯＭ２０ｂおよびＨＤＤ２０ｄに格納されているプログラムに基づいて、装置の各部を制御するとともに、各種演算処理を実行する。ＲＯＭ２０ｂは、ＣＰＵ２０ａが実行するプログラムおよびデータを格納している。ＲＡＭ２０ｃは、ＣＰＵ２０ａがプログラムを実行する際の一時的な格納エリアであるワークエリアとして機能する。ＨＤＤ２０ｄは、磁気記憶媒体であるハードディスクに対して情報を書き込むとともに、書き込まれている情報を読み出す装置である。描画処理部２０ｅは、ＣＰＵ２０ａから供給された描画命令に基づいて描画処理を実行し、得られた画像を映像信号に変換してＬＣＤ３０に供給して表示させる。Ｉ／Ｆ２０ｆは、ＧＰＳ受信部３２、入力部３３、および、タッチパネル３１から出力される情報を入力するとともに、再生部３４および接続端子３５との間で情報を授受する。バス２０ｇは、ＣＰＵ２０ａ、ＲＯＭ２０ｂ、ＲＡＭ２０ｃ、ＨＤＤ２０ｄ、描画処理部２０ｅ、および、Ｉ／Ｆ２０ｆを相互に接続し、これらの間で情報の授受を可能にするための信号線群である。
【００１５】
ＬＣＤ３０は、描画処理部２０ｅから供給される映像信号を表示する。タッチパネル３１は、前述のようにＬＣＤ３０に重畳するように配置され、ユーザの操作に応じた位置情報を生成して出力する。ＧＰＳ受信部３２は、図示せぬ複数のＧＰＳ衛星からの信号を受信し、これらの信号に基づいて三角法によって、自己の所在する位置情報（緯度および経度情報）を生成して出力する。入力部３３は、ハードウエアボタン３３ａ〜３３ｂおよびこれらのハードウエアボタン３３ａ〜３３ｂが操作されることによりオンまたはオフの状態とされる図示せぬスイッチによって構成され、ハードウエアボタン３３ａ〜３３ｂの操作に応じた情報を生成して出力する。再生部３４は、ＣＰＵ２０ａから供給されるビットストリームを、例えば、ＭＰ３方式またはＭＰＥＧ方式に基づいてデコードし、得られた映像データまたは音声データを出力する。接続端子３５は、前述した接続端子３５ａ〜３５ｃによって構成され、接続ケーブルが接続された場合には、接続ケーブルを介して種々の信号または情報を授受することができる。
【００１６】
（Ｂ）実施の形態の動作の説明
つぎに、本発明の実施の形態の動作について説明する。以下では、まず、図３，４を参照して、情報端末装置１０が有するメニューおよび画面の階層構造について説明し、その後に、図５〜図２５を参照して、情報端末装置１０の詳細な動作について説明する。
【００１７】
図３は、情報端末装置１０が有するメニューの階層構造を示す図である。この図に示すように、情報端末装置１０が有するメニューは、図の左側に示す上位階層および右側に示す下位階層を有している。この図の例では、上位階層には、「ＮＡＶＩＧＡＴＩＯＮ」、「ＭＵＳＩＣ」、「ＩＮＴＥＲＮＥＴ」、「ＴＯＯＬ」、および、「ＳＥＴＵＰ」が存在する。ここで、上位階層に属する「ＮＡＶＩＧＡＴＩＯＮ」は、ＬＣＤ３０に地図を表示させ、経路案内等の地図に関する情報処理を行う場合に選択されるメニュー項目である。「ＮＡＶＩＧＡＴＩＯＮ」の下位階層には「ＭＡＰ」、「ＲＯＵＴＥ」、および、「ＭＥＭＯＲＹ」が存在する。「ＭＡＰ」は、ＬＣＤ３０に地図情報を表示する場合に選択されるメニュー項目である。「ＲＯＵＴＥ」は地図情報をＬＣＤ３０に表示してルート検索を行う場合に選択されるメニュー項目である。「ＭＥＭＯＲＹ」は、例えば、ＨＤＤ２０ｄに格納されている履歴等に基づいて、情報を表示したり、ルート検索を行ったりする場合に選択されるメニュー項目である。
【００１８】
上位階層に属する「ＭＵＳＩＣ」は、音楽に関する処理を行う場合に選択されるメニュー項目である。「ＭＵＳＩＣ」の下位階層には、「ＭＹ  ＭＵＳＩＣ」、「ＳＤ  ＭＵＳＩＣ」、および、「ＲＡＤＩＯ」が存在する。「ＭＹ  ＭＵＳＩＣ」は、ＨＤＤ２０ｄに格納されている楽曲データを再生する際に選択されるメニュー項目である。「ＳＤ  ＭＵＳＩＣ」は、図示せぬＳＤ（Secure Digital）メモリカードが、例えば、Ｉ／Ｆ２０ｆに接続され、ＳＤメモリカードに記憶されている楽曲データを再生する場合に選択されるメニュー項目である。「ＲＡＤＩＯ」は、図示せぬチューナ部によってラジオ放送を受信して再生する場合に選択されるメニュー項目である。
【００１９】
上位階層に属する「ＩＮＴＥＲＮＥＴ」は、インターネットに関する処理を行う場合に選択されるメニュー項目である。「ＩＮＴＥＲＮＥＴ」の下位階層には、「ＢＲＯＷＳＥＲ」、「ＭＡＩＬ」、および、「ＭＥＳＳＥＮＧＥＲ」が存在する。「ＢＲＯＷＳＥＲ」は、インターネット上のＷＥＢサーバに格納されているコンテンツを閲覧する際に選択されるメニュー項目である。「ＭＡＩＬ」は、電子メールを送受信、または、作成する際に選択されるメニュー項目である。「ＭＥＳＳＥＮＧＥＲ」は、インターネットに接続しているユーザ間で、テキスト情報によって情報を授受する際に選択されるメニュー項目である。
【００２０】
上位階層に属する「ＴＯＯＬ」は、メモをとったり、スケジュールを入力したりする際に選択されるメニュー項目である。「ＴＯＯＬ」の下位階層には、「ＭＥＭＯ」、「ＳＣＨＥＤＵＬＥＲ」、および、「ＣＡＬＣＵＬＡＴＯＲ」が存在する。「ＭＥＭＯ」は、メモをとる場合に選択されるメニュー項目である。「ＳＣＨＥＤＵＬＥＲ」は、スケジュールを編集および管理する際に選択されるメニュー項目である。「ＣＡＬＣＵＬＡＴＯＲ」は、電卓を表示して計算をする場合に選択されるメニュー項目である。
【００２１】
さらに、上位階層に属する「ＳＥＴＵＰ」は、各種設定を行う際に選択されるメニュー項目である。「ＳＥＴＵＰ」の下位階層には、「ＳＣＲＥＥＮ」および「ＳＯＵＮＤ」が存在する。「ＳＣＲＥＥＮ」は、ＬＣＤ３０の明るさ、および、コントラスト等を設定する場合に選択されるメニュー項目である。「ＳＯＵＮＤ」は、再生部３４の設定を行う場合に選択されるメニュー項目である。
【００２２】
図４は、ＬＣＤ３０に表示される画面の階層構造の一例を示す図である。なお、この図において、図の上側に配置される画面ほど階層が高いことを示し、逆に下側に配置される画面ほど階層が低いことを示す。なお、各画面において、階層間の移動は、図１に示すハードウエアボタン３３ａを操作することにより行うことができる。すなわち、ハードウエアボタン３３ａを操作するたびに、階層が下位の階層に移動し、最下位の下層に到達した場合には最上位の階層にサイクリックに移動する。
【００２３】
図４の左端最上段のホームメニュー画面は、情報端末装置１０に電源が投入された場合に、最初に表示される画面であり、このホームメニュー画面において表示されるソフトウエアボタン（詳細は後述する）を操作することにより、図４の最上部に示されている「地図画面」、「音楽画面」、および、「インターネット画面」に移動することができる。ホームメニュー画面では、図６を参照して後述するように、複数のメニュー項目の中から所望のメニュー項目を選択することにより、地図画面、音楽画面、および、インターネット画面等に移動することができる。また、ホームメニュー画面が表示されている状態において、図１に示すハードウエアボタン３３ａが操作されると、図８を参照して後述する下位の階層の画面（図中左端の上から２行目の画面）に移動し、再生部３４によって再生される楽曲データを制御するためのオーディオ制御部である「Ａｕｄｉｏ  Ｃｏｎｔｒｏｌ」が表示される。このような画面において、さらにハードウエアボタン３３ａが操作されると、図９を参照して後述する下位の階層の画面（図中左端の上から３行目の画面）に移動し、サブメニューが表示される。サブメニューでは、メインメニューに表示されている項目の中から、所定の項目を頭出し表示等することができる。
【００２４】
ホームメニュー画面において、地図画面に移動する操作がなされた場合、または、ハードウエアボタン３３ｃが操作された場合には、図４の左から２列目かつ上から１行目の地図画面に移動する。この地図画面では、図１２を参照して後述するように、ＬＣＤ３０に地図を表示させ、目的地を検索したり、店舗等に関する情報を表示させたりすることができる。地図画面が表示されている状態において、ハードウエアボタン３３ａが操作されると、図４の左から２列目かつ上から２行目の画面に移動し、前述した「Ａｕｄｉｏ  Ｃｏｎｔｒｏｌ」が表示されるとともに、サブ機能およびスライダが表示される。この画面では、図１３を参照して後述するように、再生部３４による再生の制御ができるとともに、サブ機能によってルートの設定等を行うことができ、また、スライダによって地図の縮尺を変更することができる。このような画面が表示されている状態において、ハードウエアボタン３３ａが再度操作されると、図４の左から２列目かつ上から３行目の画面に移動し、サブメニュー、表示モード切換、および、地点情報が表示される。図１４を参照して後述するように、このような画面では、サブメニューによって地図上に店舗等の所定の情報を表示させることができるとともに、表示されている店舗の詳細を地点情報として参照することができる。また、表示モード切換によって表示モードを変更することができる。さらに、このような画面が表示されている状態において、ハードウエアボタン３３ａが再度操作されると、図４の左から２列目かつ上から１行目の画面に戻る。
【００２５】
ホームメニュー画面において、音楽画面に移動する操作がなされた場合には、図４の左から３列目かつ上から１行目の音楽画面に移動する。この音楽画面では、図１７を参照して後述するように、ＬＣＤ３０に楽曲データを示すアイコンを表示させ、所望の楽曲データに対応するアイコンを選択して再生することができる。音楽画面が表示されている状態において、ハードウエアボタン３３ａが操作されると、図４の左から３列目かつ上から２行目の画面に移動し、前述した「Ａｕｄｉｏ  Ｃｏｎｔｒｏｌ」が表示されるとともに、スライダが表示される。この画面では、図１９を参照して後述するように、再生部３４による再生の制御ができるとともに、スライダによってアイコンの表示倍率を変更することができる。このような画面が表示されている状態において、ハードウエアボタン３３ａが再度操作されると、図４の左から３列目かつ上から３行目の画面に移動し、サブメニュー、表示モード切換、および、音楽情報が表示される。図２０を参照して後述するように、このような画面では、サブメニューによって表示されているアイコンの並べ換えまたは選択（絞り込み）を行うことができるとともに、表示されているアイコンの詳細を音楽情報として参照することができる。また、表示モード切換によって表示モードを変更することができる。このような画面が表示されている状態において、ハードウエアボタン３３ａが再度操作されると、図４の左から３列目かつ上から１行目の画面に戻る。
【００２６】
ホームメニュー画面において、インターネット画面に移動する操作がなされた場合には、図４の左から４列目かつ上から１行目のインターネット画面に移動する。このインターネット画面では、図２３を参照して後述するように、インターネット上に存在する所定のＷＥＢサーバに格納されているコンテンツを閲覧することができる。インターネット画面が表示されている状態において、ハードウエアボタン３３ａが操作されると、図４の左から４列目かつ上から２行目の画面に移動し、前述した「Ａｕｄｉｏ  Ｃｏｎｔｒｏｌ」が表示されるとともに、サブ機能およびスライダが表示される。この画面では、図２４を参照して後述するように、再生部３４による再生の制御ができるとともに、スライダによってコンテンツの表示倍率を変更することができる。このような画面が表示されている状態において、ハードウエアボタン３３ａが再度操作されると、図４の左から４列目かつ上から３行目の画面に移動し、サブメニュー、表示モード切換、および、ホームページ情報が表示される。図２５を参照して後述するように、このような画面では、サブメニューによって表示されているアイコンの並べ換えまたは選択を行うことができるとともに、表示されているアイコンの詳細をホームページ情報として参照することができる。また、表示モード切換によって表示モードを変更することができる。このような画面が表示されている状態において、ハードウエアボタン３３ａが再度操作されると、図４の左から４列目かつ上から１行目の画面に戻る。
【００２７】
このように、本発明の実施の形態の情報端末装置１０では、ホームメニュー画面において、所定の項目を選択することにより（またはハードウエアボタン３３ｃを操作することにより）、地図画面、音楽画面、および、インターネット画面等の所望のモードの画面に移動することができる。また、各画面において、ハードウエアボタン３３ａを操作することにより、所望の階層の画面に移動することができる。なお、図４の例では、セットアップ画面その他については図示を省略している。
【００２８】
つぎに、図５に示すフローチャートを参照して、情報端末装置１０が起動された場合、または、ハードウエアボタン３３ｂが操作された場合に実行される処理について説明する。情報端末装置１０が起動されるか、または、ハードウエアボタン３３ｂが操作された場合には、ＣＰＵ２０ａは、ステップＳ１０においてＹｅｓと判定し、ステップＳ１１に進む。なお、これらの双方に該当しない場合には、Ｎｏと判定してステップＳ１４に進む。ステップＳ１１では、ＣＰＵ２０ａは、ＨＤＤ２０ｄからホームメニュー画面を表示するための情報を読み出し、描画処理部２０ｅに供給する。描画処理部２０ｅは、ＣＰＵ２０ａから供給された情報に基づいて描画処理を実行し、得られた情報を映像信号に変換してＬＣＤ３０に供給して表示させる。この結果、ＬＣＤ３０には、図６に示すようなホームメニュー画面６０が表示される。この表示例では、画面内には、複数の矩形が表示され、それぞれの矩形内にはメニュー項目を示す文字列と、アイコンとが表示されている。メニュー項目の文字列としては、図３の右側に示す下位階層のメニュー項目の一部に対応する文字列が表示されている。図６の例では、図３の「ＮＡＶＩＧＡＴＩＯＮ」に対応する「ＭＡＰ」、「ＲＯＵＴＥ」、および、「ＭＥＭＯＲＹ」に対応する矩形と、図３の「ＭＵＳＩＣ」に対応する「ＭＹ  ＭＵＳＩＣ」および「ＳＤ  ＭＵＳＩＣ」に対応する矩形が表示されている。また、それぞれの文字列の左側には、それぞれのメニュー項目に対応するアイコンが表示されている。
【００２９】
なお、図６では表示を省略しているが、図３において同一の上位階層に属するメニュー項目は、同一の表示色にて表示されている。すなわち、「ＮＡＶＩＧＡＴＩＯＮ」に対応する「ＭＡＰ」、「ＲＯＵＴＥ」、および、「ＭＥＭＯＲＹ」が同一色で表示され、また、「ＭＵＳＩＣ」に対応する「ＭＹ  ＭＵＳＩＣ」および「ＳＤ  ＭＵＳＩＣ」が前述の場合とは異なる同一色で表示されている。また、各矩形は、ＬＣＤ３０の上下方向の中央に近づくほど、その上下方向の幅が広くなるように表示され、中央から外れるに従って幅が狭くなるように表示される。このように表示することにより、図６の下に示すように、矩形が楕円柱または円柱の側面に倣って配置されているようにユーザに認識させることができる。なお、図６において、画面を上下方向に指でなぞることにより、タッチパネル３１に上下方向に移動する入力を与え、この入力に基づいてＣＰＵ２０ａがＬＣＤ３０に表示された矩形を回転させて移動させることにより、所望の項目を表示させることができる。すなわち、ＣＰＵ２０ａは、タッチパネル３１から出力される位置情報を参照し、ユーザの指が上下方向に移動したことを検出した場合には、指の移動開始位置から移動終了位置に向かう方向であって、移動距離または移動速度に応じた回転速度で、矩形が回転するように表示させる。この結果、例えば、画面を上から下方向になぞった場合には、指の移動速度または移動距離に応じた回転速度により、矩形が上から下に向かって回転（慣性スクロール）することになる。
【００３０】
図６に示す画面において、所定のソフトウエアボタン（図６の例では矩形）が選択された場合には、ＣＰＵ２０ａは、ソフトウエアボタンが操作されたと判定し（ステップＳ１２；Ｙｅｓ）、ステップＳ１３に進み、それ以外の場合（ステップＳ１２；Ｎｏ）には、ステップＳ１４に進む。例えば、図６において、所定の矩形がユーザによって選択された場合には、ステップＳ１２においてＹｅｓと判定され、ステップＳ１３に進む。具体的には、図６に示す「ＭＡＰ」が選択された場合には、ＣＰＵ２０ａは、図４の左から２列目かつ上から１行目の地図画面を表示するための情報をＨＤＤ２０ｄから取得し、描画処理部２０ｅに供給し、ＬＣＤ３０に表示させる。
【００３１】
ステップＳ１４では、ＣＰＵ２０ａは、処理を終了するか否かを判定し、終了しない場合（ステップＳ１４；Ｎｏ）にはステップＳ１０に戻って同様の処理を繰り返し、それ以外の場合（ステップＳ１４；Ｙｅｓ）には処理を終了する。
【００３２】
以上の処理により、情報端末装置１０が起動された場合、または、ハードウエアボタン３３ｂが操作された場合には、図６に示すホームメニュー画面に移動するとともに、ホームメニュー画面において所定のソフトウエアボタンが操作された場合には、該当する処理が実行される。
【００３３】
つぎに、図７を参照して、ハードウエアボタン３３ａが操作された場合に実行される処理について説明する。ＣＰＵ２０ａは、ハードウエアボタン３３ａが操作されたと判定した場合（ステップＳ３０；Ｙｅｓ）には、ステップＳ３１に進み、それ以外の場合（ステップＳ３０；Ｎｏ）にはステップＳ３４に進む。例えば、図６に示す画面が表示されている状態において、ハードウエアボタン３３ａが操作されると、ＣＰＵ２０ａは、ハードウエアボタン３３ａが操作されたと判定し（ステップＳ３０；Ｙｅｓ）、ステップＳ３１に進む。
【００３４】
ステップＳ３１では、ＣＰＵ２０ａは、ＨＤＤ２０ｄから次の階層の画面を表示するための情報を取得し、描画処理部２０ｅに供給し、ＬＣＤ３０に表示させる。例えば、図６に示す画面が表示されている状態において、ハードウエアボタン３３ａが操作された場合には、ＣＰＵ２０ａは、図４の左から１列目かつ上から２行目の画面を表示するための情報をＨＤＤ２０ｄから取得し、描画処理部２０ｅに供給する。この結果、ＬＣＤ３０には、図８に示す画面が表示される。図８に示す表示例では、画面の下に、図４に示す「Ａｕｄｉｏ  Ｃｏｎｔｒｏｌ」に対応する、オーディオ操作領域７０が表示されている。この例では、オーディオ操作領域７０には、音量インジケータ７１、音量調整エリア７２、音量ボタン７３，７４、スキップボタン７５，７６、および、一時停止ボタン７７が表示されている。ここで、音量インジケータ７１は、設定されている出力音量のレベルを棒グラフによって表示する。音量調整エリア７２は、当該エリアを右または左方向に指でなぞることにより、音量を調整することができる。例えば、音量調整エリア７２の所定の領域を指で押圧し、そのまま左側に指を移動させることで音量を下げることができ、右側に指を移動させることで音量を上げることができる。なお、音量調整エリア７２の操作方向は、ホームメニューの矩形を回転させる操作方向と直交する方向に設定されているため、これらの操作が誤って認識されることを防止できる。すなわち、矩形を回転させる方向は、図８の上下方向であるのに対して、音量を調整する方向は左右方向であり、これらは互いに直交することから、一方に対してなされた操作を他方に対してなされた操作として誤って認識されることを防止できる。
【００３５】
音量ボタン７３，７４は、音量を１ステップ単位で、減少または増加させるためのボタンである。また、スキップボタン７５，７６は、再生されている曲を１つ後戻し、または、先送りするためのボタンである。一時停止ボタン７７は、楽曲の再生を停止するボタンである。
【００３６】
つぎに、ＣＰＵ２０ａは、ステップＳ３２において、例えば、図８に示す画面において、所定のソフトウエアボタンが操作されたか否かを判定し、操作されたと判定した場合（ステップＳ３２；Ｙｅｓ）にはステップＳ３３に進み、それ以外の場合（ステップＳ３２；Ｎｏ）にはステップＳ３４に進む。例えば、図８に示す画面において、音量インジケータ７１、音量調整エリア７２、音量ボタン７３，７４、スキップボタン７５，７６、または、一時停止ボタン７７が操作された場合には、ステップＳ３３に進み、操作されたボタンに対応する処理を実行する。具体的には、例えば、音量調整エリア７２が右から左になぞられた場合には、ＣＰＵ２０ａは、再生部３４を制御し、出力音量を減少させる。
【００３７】
ステップＳ３４では、ＣＰＵ２０ａは、処理を終了するか否かを判定し、処理を終了しないと判定した場合（ステップＳ３４；Ｎｏ）には、ステップＳ３０に戻って同様の処理を繰り返し、それ以外の場合（ステップＳ３４；Ｙｅｓ）には処理を終了する。例えば、処理を終了しないと判定した場合には、ステップＳ３０に戻る。そして、図８に示す画面が表示された状態で、再度、ハードウエアボタン３３ａが操作された場合には、ＣＰＵ２０ａは、ステップＳ３０においてＹｅｓと判定し、ステップＳ３１に進む。ステップＳ３１では、ＣＰＵ２０ａは、図４の左から１列目かつ上から３行目の画面を表示するための情報をＨＤＤ２０ｄから取得し、描画処理部２０ｅに供給し、ＬＣＤ３０に表示させる。この結果、ＬＣＤ３０には、図９に示す画面が表示される。図９の例では、画面の左側にサブメニュー８０が表示され、右側にはメインメニューとしてのホームメニュー画面６０が表示されている。
【００３８】
ここで、サブメニュー８０には、メインメニューと同様に複数の矩形が表示されている。この矩形に表示されている文字列は、図３の左側に表示されている上位階層のメニュー項目に対応している。すなわち、図９の例では、文字列「ＮＡＶＩＧＡＴＩＯＮ」、「ＭＵＳＩＣ」、「ＩＮＴＥＲＮＥＴ」、「ＴＯＯＬ」、および、「ＳＥＴＵＰ」が表示されている。ここで、サブメニュー８０は、メインメニューの頭出しを行う機能を有している。すなわち、図９に示す画面において、例えば、「ＴＯＯＬ」が操作されたとすると、ＣＰＵ２０ａは、図７のステップＳ３２において、ソフトウエアボタンが操作されたと判定しステップＳ３３に進み、サブメニュー８０において選択されたメニュー項目の表示色を変更する（ハイライト表示する）とともにサブメニュー８０の中央部に表示する。そして、サブメニュー８０において選択されたメニュー項目に対応する下位のメニュー項目が、メインメニューの最上部に位置するように表示させる。
【００３９】
すなわち、「ＴＯＯＬ」が操作された場合では、図１０に示すように、サブメニュー８０において、「ＴＯＯＬ」の表示色が変更されるとともに、「ＴＯＯＬ」がサブメニュー８０の中央に位置するように表示が変更される。また、図３に示す「ＴＯＯＬ」の下層に属する「ＭＥＭＯ」がメインメニューの最上部に位置するように表示が回転（変更）される。その結果、「ＭＥＭＯ」が最上部に表示され、「ＴＯＯＬ」の下位のメニュー項目である「ＳＣＨＥＤＵＬＥＲ」および「ＣＡＬＣＵＬＡＴＯＲ」が続いて表示され、さらに、「ＳＥＴＵＰ」の下位の項目である「ＳＣＲＥＥＮ」および「ＳＯＵＮＤ」が続いて表示される。なお、このような頭出しは、メインメニューが静止している場合のみならず、メインメニューが回転（慣性スクロール）している場合にも実行される。この結果、メインメニューが回転している場合に、サブメニュー８０の所定の項目を選択することにより、所望の下位のメニューを表示させることができる。すなわち、本実施の形態では、サブメニュー８０によってメインメニューの頭出しを可能とすることにより、メインメニューから所望の項目を迅速に見つけることが可能になる。なお、図１０の例では、サブメニュー８０によって選択された項目がメインメニューの最上部に位置するようにしたが、メインメニューの中央部、または、最下部に位置するようにしてもよい。
【００４０】
また、本実施の形態の情報端末装置１０では、メインメニューが回転された場合には、これに連動してサブメニュー８０も回転する。すなわち、メインメニューがユーザの指によってなぞられ、回転された場合には、メインメニューに表示されている内容に応じて、サブメニュー８０が回転するとともに、メインメニューに表示されている内容に応じて、サブメニュー８０の対応するメニュー項目の表示色が変更される（ハイライト表示される）。例えば、「ＴＯＯＬ」に対応するメニュー項目がメインメニュー上に表示されている場合には、図１０に示すように、サブメニュー８０において「ＴＯＯＬ」が中央に表示されるとともに、「ＴＯＯＬ」の表示色が変更される。このような状態においてメインメニューが上から下方向に回転され、「ＩＮＴＥＲＮＥＴ」に対応するメニュー項目がメインメニュー上に表示された場合には、図９に示すように、サブメニュー８０において「ＩＮＴＥＲＮＥＴ」が中央に表示されるとともに、「ＩＮＴＥＲＮＥＴ」の表示色が変更される。これにより、ユーザは、サブメニュー８０を参照することにより、メインメニュー上に表示されているメニュー項目の上位階層のメニュー項目の種類を知ることができる。
【００４１】
つぎに、図１１を参照して、図１に示すハードウエアボタン３３ｃが操作された場合に実行される処理について説明する。この処理が実行されると、ＣＰＵ２０ａは、ステップＳ５０において、ハードウエアボタン３３ｃが操作されたか否かを判定し、操作されたと判定した場合（ステップＳ５０；Ｙｅｓ）にはステップＳ５１に進み、それ以外の場合（ステップＳ５０；Ｎｏ）にはステップＳ５２に進む。例えば、ハードウエアボタン３３ｃがユーザによって操作された場合には、ＣＰＵ２０ａはＹｅｓと判定してステップＳ５１に進む。ステップＳ５１では、ＣＰＵ２０ａは、ＨＤＤ２０ｄから図４の左から２列目かつ上から１行目の地図画面を表示するための情報を取得し、描画処理部２０ｅに供給し、ＬＣＤ３０に表示させる。その結果、ＬＣＤ３０には、図１２に示すような地図画面９０が表示される。図１２の例では、地図画面９０には、地図情報が表示されるとともに、画面の左上隅には方角および縮尺を示すアイコン９１、現在の時刻を示すアイコン９２、自己（または自車）の位置を示すアイコン９３が表示される。
【００４２】
ステップＳ５２では、ＣＰＵ２０ａは、処理を終了するか否かを判定し、終了しない場合（ステップＳ５２；Ｎｏ）にはステップＳ５０に戻って同様の処理を繰り返し、それ以外の場合（ステップＳ５２；Ｙｅｓ）には処理を終了する。以上の処理により、ハードウエアボタン３３ｃがユーザによって操作された場合には、いずれの画面が表示されている場合であっても、地図画面９０に移動することができる。
【００４３】
ところで、図１２に示す地図画面が表示されている場合であって、図１１の処理が実行されているときにも、前述した図７に示す処理は並行して実行されている。したがって、図１２に示す地図画面が表示されている状態で、ハードウエアボタン３３ａが操作された場合には、次の階層の画面に移動する（ステップＳ３１）。具体的には、ＣＰＵ２０ａは、図４の左から２列目かつ上から２行目の画面を表示させるための情報をＨＤＤ２０ｄから取得し、描画処理部２０ｅに供給して、ＬＣＤ３０に表示させる。その結果、ＬＣＤ３０には、図１３に示す情報が表示される。図１３の表示例では、画面内の左端にルート検索を実行する際に操作されるソフトウエアボタン９４が表示され、また、画面内の左側には現在表示されている地図の縮尺を示すズームインジケータ９５および縮尺を変更する際に操作されるズームエリア９６が表示され、画面内の最下部には図８の場合と同様のオーディオ操作領域７０が表示されている。このような画面において、例えば、ソフトウエアボタン９４が操作されると、目的地までの経路が検索されて表示される。また、ズームエリア９６が指でなぞられた場合には、なぞられた方向と距離に応じて地図の縮尺が変更される。例えば、ズームエリア９６が上から下になぞられた場合には、指の移動距離に応じて縮尺が大きくなり、逆に下から上になぞられた場合には、指の移動距離に応じて縮尺が小さくなる。また、オーディオ操作領域７０が操作された場合には、前述の場合と同様に、例えば、再生中の楽曲データに対する制御が行われる。なお、ズームエリア６９と音量調整エリア７２の操作方向は互いに直交しているので、これらの一方に対してなされた操作が他方に対する操作として誤って認識されることを防止できる。
【００４４】
図１３に示す画面が表示されている状態において、ハードウエアボタン３３ａが再度操作されると、ＣＰＵ２０ａは、図４の左から２列目かつ上から２行目の画面を表示するための情報をＨＤＤ２０ｄから取得し、ＬＣＤ３０に表示させる。その結果、図１４に示す画面が表示される。図１４に示す表示例では、画面内の左側にはサブメニュー９７が表示され、また、画面内の下部には地図画面９０に表示されているアイコンに対応する情報が表示される地点情報９８が表示されている。また、画面内の右側には、表示モード切換領域９９が表示されている。ここで、サブメニュー９７は、地図上における所定の施設等を指定する際に操作される。この例では、サブメニュー９７は、図９の場合と同様の表示形態であり、複数の項目の中から所望の項目を選択することができる。この例では、サブメニュー９７は、「ＳＨＯＰ」、「ＲＥＳＴＡＵＲＡＮＴ」、「ＰＡＲＫＩＮＧ」、「ＰＡＲＫ」、「ＴＯＩＬＥＴ」が表示された矩形が複数表示されており、例えば、「ＰＡＲＫＩＮＧ」が選択された場合には、図１４に示すように、当該矩形の表示色が変更されるとともに、当該矩形がサブメニュー９７の中央に位置するように表示がスクロールされる。また、地図画面９０に表示されている地図の領域内に存在する駐車場が検索され、それぞれの駐車場が存在する地点に、アルファベットが付されたアイコンが表示される。図１４の例では、Ａ〜Ｄが付されたアイコンが駐車場が存在する位置に表示されている。地点情報９８は、地図上に表示されているアイコンに対応する詳細な情報が表示される。この例では、アイコンの「Ａ」に対応する情報が表示されており、例えば、アイコンの「Ａ」に対応する駐車場を説明する文章および画像が表示されるとともに、当該駐車場のホームページに移動するボタン、当該駐車場をお気に入りに登録するボタン、当該駐車場を目的地に設定するためのボタンが表示されている。表示モード切換領域９９には、個々の施設に関する情報を地点情報９８として表示するための「ｉｎｆｏ」ボタン、口コミ情報を個々の施設に関する地点情報９８として表示するための「ｒｅｖｉｅｗ」ボタン、および、地点情報を地図画面９０の全域に表示させるための「Ｌｉｓｔ」ボタンが表示されている。なお、「ｉｎｆｏ」ボタンおよび「ｒｅｖｉｅｗ」ボタンは、択一式のボタンとなっており、これらの何れか一方が選択できる。図１４の例は、「ｉｎｆｏ」ボタンが選択された状態となっており、地点情報９８として、個々の施設に関する情報が表示されている。
【００４５】
サブメニュー９７では、メニュー項目である矩形を、択一的に選択することができる。すなわち、何れかのメニュー項目が選択された場合には、他の項目の選択が外れる構成となっている。ところで、本実施の形態では、複数のメニュー項目を選択することが可能とされている。例えば、図１４に示すように、「ＰＡＲＫＩＮＧ」が選択された状態において、当該「ＰＡＲＫＩＮＧ」のメニュー項目の矩形を、ユーザが指で右側になぞる操作をすると、ＣＰＵ２０ａは、メニュー項目の選択を固定する操作がなされたと判定し、図１５に示すように、当該「ＰＡＲＫＩＮＧ」の矩形をハイライト表示されたままで右側にはみ出した状態で表示させる。この結果、「ＰＡＲＫＩＮＧ」のメニュー項目は選択が固定された状態となる。この結果、地図上に表示されている駐車場に関するアイコンの表示も維持される。つぎに、このような状態において、「ＲＥＳＴＡＵＲＡＮＴ」が選択されると、ＣＰＵ２０ａは、「ＰＡＲＫＩＮＧ」とともに「ＲＥＳＴＡＵＲＡＮＴ」が選択されたことを検出し、地図上に存在する「ＲＥＳＴＡＵＲＡＮＴ」に関する情報をＨＤＤ２０ｄから取得し、アイコンとして表示させる。この結果、図１６に示すように、駐車場を示すアイコン「Ａ」〜「Ｄ」とともに、レストランを示すアイコン「Ｅ」〜「Ｈ」が地図画面９０上に表示される。また、サブメニュー９７では、最後に選択された「ＲＥＳＴＡＵＲＡＮＴ」がサブメニュー９７の中央部に移動するようにスクロールされるとともに、選択されている「ＲＥＳＴＡＵＲＡＮＴ」および「ＰＡＲＫＩＮＧ」のメニュー項目の表示色が変更されている（ハイライト表示されている）。この結果、ユーザは、複数の種類の施設に関する情報を同時に地図画面９０上に表示させることができるので、例えば、レストランと、目的のレストランの近くに存在する駐車場を合わせて見つけることが可能になる。また、サブメニュー９７では、選択されているメニュー項目の表示色が変更されるので、どのメニュー項目が選択されているかを知ることができる。また、操作されたメニュー項目がサブメニュー９７の中央付近に表示されるので、操作されたメニュー項目を知ることができる。なお、図１６に示す例では、２種類のメニュー項目が選択されているが、メニュー項目を右側に引き出す操作を適宜することにより、３種類以上のメニュー項目を選択することができる。また、引き出されたメニュー項目は、左側に移動させる操作（左側になぞる操作）を行うことで、選択の固定を解除することができる。
【００４６】
なお、図１６に示す画面において、表示モード切換領域９９に表示されている「Ｌｉｓｔ」ボタンが操作されると、地図上に表示されているアイコン「Ａ」〜「Ｈ」に対応する地点情報９８が一覧表示されることになる。すなわち、「Ｌｉｓｔ」ボタンが操作されると、「ｉｎｆｏ」ボタンが選択されている場合には、地図上に表示されているアイコン「Ａ」〜「Ｈ」に関連する情報が一覧表示され、「ｒｅｖｉｅｗ」ボタンが選択されている場合には、アイコン「Ａ」〜「Ｈ」に関連する口コミ情報が一覧表示される。なお、一覧表示された地点情報は、必要に応じてスクロールさせることができる。具体的には、一覧表示された情報を指で上または下になぞることにより、上方向または下方向にスクロールさせることができる。これにより、画面に全ての情報が一度に表示できない場合であっても、スクロールによって全ての情報を閲覧することが可能になる。
【００４７】
つぎに、図６に示す画面のメインメニューにおいて「ＭＹ  ＭＵＳＩＣ」が選択されるか、または、図９に示す画面のサブメニュー８０において「ＭＵＳＩＣ」が選択された後にメインメニューにおいて「ＭＹ  ＭＵＩＳＣ」が選択されたとすると、ＣＰＵ２０ａは、図４の左から３列目かつ上から１行目の画面を表示するための情報をＨＤＤ２０ｄから取得し、描画処理部２０ｅに供給してＬＣＤ３０に表示させる。その結果、ＬＣＤ３０には、図１７に示すような音楽画面１１０が表示される。この例では、音楽画面１１０には、ＨＤＤ２０ｄに格納されている楽曲データのアルバムに対応するアイコン１１２が、アルバム名のアルファベット順に一覧表示されている。また、画面内の左端には、アルファベットのインデックス１１１が表示されている。より詳細には、インデックス「Ａ」の右側には、アルバム名が「Ａａ」、「Ａｂ」、・・・、「Ａｙ」であるアイコンが表示されている。また、インデックス「Ｂ」の右側には、アルバム名が「Ｂａ」、「Ｂｃ」、・・・、「Ｂｚ」であるアイコンが一覧表示され、同様に「Ｂ」、「Ｃ」、「Ｄ」に関するアイコンが表示されている。
【００４８】
このような音楽画面１１０において、所定のアイコンがユーザの指によって選択されると、ＣＰＵ２０ａは、選択されたアイコンを拡大して表示するとともに、選択されたアイコンに対応する楽曲データを、ＨＤＤ２０ｄから取得し、再生部３４に供給して再生する。例えば、図１７に示す画面において、ユーザが、アイコン「Ｂｉｊ」を選択した場合には、図１８に示すように、アイコン「Ｂｉｊ」を拡大して表示するとともに、アイコン「Ｂｉｊ」に関する属性情報（例えば、アルバム名「Ｂｉｊ」およびアーティスト名「Ｇｏｐｈｅｒ」）をアイコンの下に表示する。また、ＣＰＵ２０ａは、アイコン「Ｂｉｊ」に対応する楽曲データを、ＨＤＤ２０ｄから取得し、再生部３４に供給する。この結果、再生部３４は、楽曲データを再生し、その結果として得られた音声信号を、接続端子３５ａに対して出力する。この結果、ユーザは、指定したアイコン「Ｂｉｊ」に対応する楽曲を、ヘッドフォン等によって鑑賞することができる。
【００４９】
図１８に示すような音楽画面１１０が表示された状態において、ユーザがハードウエアボタン３３ａを操作すると、ＣＰＵ２０ａは、図７のステップＳ３０においてＹｅｓと判定し、ステップＳ３１に進み、図４の左から３列目かつ上から２行目の画面を表示するための情報をＨＤＤ２０ｄから取得し、描画処理部２０ｅに供給してＬＣＤ３０に表示させる。その結果、ＬＣＤ３０には、図１９に示す画面が表示される。図１９に示す表示例では、画面内の最下部には、図８の場合と同様のオーディオ操作領域７０が表示されている。また、画面内の右側には、アイコンの現在の表示サイズを示すインジケータ１１３と、アイコンの表示サイズを変更するためのズームエリア１１４とが表示されている。このような画面において、ユーザは、オーディオ操作領域７０に表示されているソフトウエアボタンを操作することにより、音楽の再生に関する制御を行うことができる。また、ズームエリア１１４をなぞることにより、アイコンの表示サイズを変更することができる。具体的には、ズームエリア１１４を上から下になぞることにより、アイコンの表示サイズが縮小され、下から上になぞることにより、アイコンの表示サイズが拡大される。なお、ズームエリア１１４と音量調整エリア７２の操作方向は互いに直交しているので、これらの一方に対してなされた操作が他方に対する操作として誤って認識されることを防止できる。
【００５０】
つぎに、図１９に示す画面が表示された状態において、ユーザがハードウエアボタン３３ａを再度操作すると、ＣＰＵ２０ａは、図７のステップＳ３０においてＹｅｓと判定し、ステップＳ３１に進み、図４の左から３列目かつ上から３行目の画面を表示するための情報をＨＤＤ２０ｄから取得し、描画処理部２０ｅに供給してＬＣＤ３０に表示させる。その結果、ＬＣＤ３０には、図２０に示す画面が表示される。図２０に示す表示例では、画面内の左側には、サブメニュー１１５が表示され、画面内の最下部には音楽情報１１６が表示され、画面内の右側には表示モード切換領域１１７が表示されている。ここで、サブメニュー１１５では、音楽画面１１０に一覧表示されているアイコンの配列方法を選択するとともに、一覧表示されるアイコンを絞り込むことができる。この例では、「ＡＬＢＵＭ」および「ＡＲＴＩＳＴ」はアイコンの配列方法を決定するためのメニュー項目であり、「ＡＬＢＵＭ」はアルバム名に応じてアイコンを配列し、「ＡＲＴＩＳＴ」はアーティスト名に応じてアイコンを配列する。なお、これらは、何れか一方を選択することができる。また、「ＪＡＺＺ」、「ＰＯＰＳ」、および、「ＣＬＡＳＳＩＣＡＬ」は、一覧表示されるアイコンを絞り込むメニュー項目である。すなわち、「ＪＡＺＺ」、「ＰＯＰＳ」、および、「ＣＬＡＳＳＩＣＡＬ」は、ジャズ、ポップス、および、クラシックのジャンルに属するアイコンを選択するためのメニュー項目である。図２０の例では、サブメニュー１１５では、「ＡＬＢＵＭ」が選択されているので、音楽画面１１０には、アイコンがアルバム名に応じてアルファベット順に表示されている。また、音楽情報１１６としては、現在再生中の楽曲に関する詳細な情報と、アイコンとが表示される。なお、音楽情報１１６に表示される情報は、後述するように、「ｉｎｆｏ」ボタンまたは「ｒｅｖｉｅｗ」ボタンを押圧することにより、選択することができる。また、「Ｌｉｓｔ」ボタンを操作することにより、表示される項目数を変更することができる。
【００５１】
表示モード切換領域１１７には、「ｉｎｆｏ」ボタン、「ｒｅｖｉｅｗ」ボタン、および、「Ｌｉｓｔ」ボタンが表示されている。「ｉｎｆｏ」ボタンおよび「ｒｅｖｉｅｗ」ボタンは択一的に選択可能とされ、「ｉｎｆｏ」ボタンが選択された場合には、楽曲データに関する詳細な情報が音楽情報１１６として表示され、「ｒｅｖｉｅｗ」ボタンが選択された場合には、楽曲データに関する口コミ情報が表示される。また、「Ｌｉｓｔ」ボタンは、音楽情報１１６を音楽画面１１０の全領域に表示する場合に操作される。
【００５２】
図２０に示す画面において、サブメニュー１１５の「ＪＡＺＺ」が操作されたとすると、ＣＰＵ２０ａは、「ＪＡＺＺ」が操作されたことを認識し、メニュー項目である「ＪＡＺＺ」の表示色を変更するとともに、当該メニュー項目がサブメニュー１１５の中央に位置するようにスクロールさせる。また、ＣＰＵ２０ａは、音楽画面１１０に表示されている全てのアイコンの中で、ジャンルがジャズに属するアイコンのみを選択して表示する。その結果、ＬＣＤ３０には、図２１に示すような画面が表示される。この表示例では、サブメニュー１１５では、メニュー項目である「ＪＡＺＺ」が中央に位置するように移動され、また、メニュー項目である「ＪＡＺＺ」および「ＡＲＴＩＳＴ」の表示色が変更されている。さらに、音楽画面１１０では、図１９に比較すると、表示されているアイコンの種類が減少している。例えば、「Ａ」については、図１９では、１７種類のアイコンが表示されていたのが、図２０では、１０種類に減少している。すなわち、ジャンルが「ＪＡＺＺ」に属するアイコンだけが音楽画面１１０内に表示される。
【００５３】
つぎに、図２１に示す画面において、サブメニュー１１５のメニュー項目である「ＪＡＺＺ」が、ユーザの指によって左から右へなぞられた後に、メニュー項目である「ＰＯＰＳ」が選択されたとする。すると、ＣＰＵ２０ａは、図２２に示すように、メニュー項目である「ＪＡＺＺ」を右側に移動して表示するとともに、選択された「ＰＯＰＳ」の表示色を変更し、さらに、「ＰＯＰＳ」が中央に位置するように表示をスクロールさせる。さらに、ＣＰＵ２０ａは、ＨＤＤ２０ｄに格納されている楽曲データのうち、ジャンルがジャズおよびポップスに属する楽曲データを選択して、音楽画面１１０に一覧表示させる。この結果、図２２の画面では、図２１の音楽画面１１０に対して、ポップスに属する楽曲データに対応するアイコンが追加して表示される。例えば、「Ａ」については、ポップスに属する楽曲データのアイコンである「Ａｂ」と「Ａｊａ」とが増加することになる。
【００５４】
このように、サブメニュー１１５において、楽曲データのアイコンの並べ方を選択するとともに、ジャンルを選択できるようにしたので、目的の楽曲データを容易に見つけ出すことができる。また、サブメニュー１１５では、メニュー項目を右側に引き出すことにより、ジャンルの選択を固定できるようにしたので、例えば、複数のジャンルを選択して表示させることができる。
【００５５】
図６に示すメインメニュー画面において、メニュー項目である「ＢＲＯＷＳＥＲ」が選択されるか、また、図９に示すサブメニュー８０においてメニュー項目である「ＩＮＴＥＲＮＥＴ」が選択された後、メインメニューから「ＢＲＯＷＳＥＲ」が選択されたとすると、ＣＰＵ２０ａは、図４の左から４列目かつ上から１行目のインターネット画面を表示するための情報をＨＤＤ２０ｄから取得し、描画処理部２０ｅに供給してＬＣＤ３０に表示させる。その結果、ＬＣＤ３０には、図２３に示す画面が表示される。図２３に示す表示例では、表示領域１３０には、図示せぬインターネット上のＷＥＢサーバから取得されたコンテンツが表示されている。また、表示領域１３０の上部には、ソフトウエアボタン１３１〜１３６が表示されている。ソフトウエアボタン１３１は、前のページに戻る場合に操作されるボタンであり、ソフトウエアボタン１３２は、次のページに進む場合に操作されるボタンである。また、ソフトウエアボタン１３３は、ＷＥＢサーバへの要求を中止する場合に操作されるボタンであり、ソフトウエアボタン１３４は、ＷＥＢサーバへの要求を再度行う場合に操作されるボタンであり、ソフトウエアボタン１３５は、ホームとして登録されているページに移動する場合に操作されるボタンである。また、ソフトウエアボタン１３６は、以前に表示していた画面（例えば、地図画面、音楽画面等）に戻る場合に操作されるボタンである。
【００５６】
図２３に示す画面が表示されている状態において、ハードウエアボタン３３ａが操作されると、ＣＰＵ２０ａは、図４の左から４列目かつ上から２行目の画面を表示するための情報をＨＤＤ２０ｄから取得し、描画処理部２０ｅに供給してＬＣＤ３０に表示させる。その結果、ＬＣＤ３０には、図２４に示す画面が表示される。図２４に示す表示例では、画面内の最下部に、図１３と同様のオーディオ操作領域７０が表示され、また、画面内の右側には、現在の表示倍率を示すインジケータ１３７と、拡大倍率を変更するためのズームエリア１３８とが表示されている。このような表示画面において、オーディオ操作領域７０の所定のソフトウエアボタンが操作されると、操作されたボタンに応じて再生部３４を制御することができる。また、ズームエリア１３８をなぞることにより、表示領域１３０に表示されている画像の表示倍率を調整することができる。すなわち、ズームエリア１３８を上から下に指でなぞることにより表示倍率を小さくし、下から上になぞることにより表示倍率を大きくすることができる。なお、ズームエリア１３８と音量調整エリア７２の操作方向は互いに直交しているので、これらの一方に対してなされた操作が他方に対する操作として誤って認識されることを防止できる。
【００５７】
図２４に示す画面が表示されている状態において、ハードウエアボタン３３ａが操作されると、ＣＰＵ２０ａは、図４の左から４列目かつ上から３行目の画面を表示するための情報をＨＤＤ２０ｄから取得し、描画処理部２０ｅに供給してＬＣＤ３０に表示させる。その結果、ＬＣＤ３０には、図２５に示す画面が表示される。図２５に示す表示例では、画面内の左側には、サブメニュー１４０が表示され、中央の表示領域１４１には、例えば、お気に入りとして登録されたホームページを示すアイコンの一覧が表示され、下側には選択されたアイコンの詳細な情報を示すホームページ情報１４２が表示され、また、右側には表示モードを切り換える表示モード切換領域１４３が表示されている。ここで、サブメニュー１４０には、表示領域１４１に一覧表示されるアイコンの配列方法を選択するためのメニュー項目と、アイコンを絞り込むためのメニュー項目が表示されている。具体的には、「ＡＣＣＥＳＳ  ＤＡＴＥ」および「ＡＬＰＨＡＢＥＴＩＣＡＬ」は、アイコンの配列方法を選択するためのメニュー項目であり、「ＡＣＣＥＳＳ  ＤＡＴＥ」はアクセスされた順にアイコンを配列し、また、「ＡＬＰＨＡＢＥＴＩＣＡＬ」はホームページのタイトルのアルファベット順にアイコンを配列することを指定する。なお、これらは、択一的に選択可能となっている。また、「ＳＨＯＰＰＩＮＧ」、「ＳＥＡＲＣＨ」、および、「ＧＯＵＲＭＥＴ」は、ホームページのカテゴリがショッピング、検索エンジン、および、グルメ情報に属するものを選択して表示するメニュー項目である。なお、これらのメニュー項目は、図２１，２２に示すように、複数選択することが可能である。また、ホームページ情報１４２は、選択されたアイコンに対応するホームページに関する情報が表示される。また、表示モード切換領域１４３には、ソフトウエアボタンである「ｉｎｆｏ」、「ｒｅｖｉｅｗ」、および、「Ｌｉｓｔ」が表示されている。「ｉｎｆｏ」は、ホームページ情報１４２として、それぞれのアイコンに対応するホームページに関する情報を選択する場合に操作され、「ｒｅｖｉｅｗ」はホームページ情報１４２として口コミ情報を表示する場合に操作される。また、「Ｌｉｓｔ」は、ホームページ情報１４２を、表示領域１４１の全域に表示させる場合に操作される。
【００５８】
図２５に示す画面では、サブメニュー１４０を操作することにより、表示領域１４１に表示されるアイコンの配列方法を指定するとともに、アイコンのカテゴリを選択することができる。そして、表示領域１４１に表示されているアイコンの中から、ホームページ情報１４２を参照して、所望のアイコンを選択した場合には、図２３に示すように、アイコンに対応するホームページが表示領域１３０に表示される。
【００５９】
以上に説明したように、本発明の実施形態では、サブメニューに上位階層に属するメニュー項目を表示するとともに、メインメニューに下位階層に属するメニュー項目を表示するようにしたので、階層構造を反映した表示を行うことができる。また、サブメニューに表示されるメニュー項目が選択された場合には、メインメニューに表示されるメニュー項目の頭出しを行うようにしたので、所望のメニュー項目を迅速に見つけ出すことが可能になる。さらに、メインメニューがスクロールされた場合には、メインメニューに表示されているメニュー項目に対応するメニュー項目をサブメニューにおいてハイライト表示するとともに、サブメニューの中央付近に表示するようにしたので、メインメニューに表示されているメニュー項目の種類を確実に知ることができる。
【００６０】
また、本発明の実施形態では、サブメニューにより、アイコンの配列順序および絞り込みを行うことができるようにした。このため、複数存在するアイコンの中から所望のアイコンを迅速に見つけ出すことが可能になる。また、サブメニューにおいて、絞り込みを行うためのメニュー項目を選択した状態を固定できるようにした。このため、複数のカテゴリに属するアイコンを同時に表示させることができる。また、選択を固定する場合には、メニュー項目を引き出して表示するようにしたので、選択されている項目を容易に知ることができる。
【００６１】
また、本発明の実施形態では、図３に示す第１行目に示す各画面において、ハードウエアボタン３３ａが操作された場合には、オーディオ操作領域７０が表示されるようにした。オーディオの再生の制御は、他の制御に比較して優先順位が高いことから、どのような情報に対する処理を行っている場合であっても、ハードウエアボタン３３ａが操作された場合には、オーディオ操作領域７０が表示されるようにすることで、オーディオの制御を容易に行うことができる。
【００６２】
また、本発明の実施形態では、音量調整エリア７２の操作方向と、メインメニューおよびズームエリア９６，１１４，１３８の操作方向とが互いに直交するようにしたので、一方に対する操作が他方に対する操作として誤って認識されることを防止できる。このため、操作性を向上させることができる。
【００６３】
（Ｃ）変形実施の態様の説明
なお、上述した実施の形態は、あくまでも本発明の一態様を示すものであり、本発明の範囲内で任意に変形および応用が可能であることは勿論である。
例えば、図９に示す画面において、サブメニュー８０において、所定のメニュー項目が選択された状態で、メインメニューが回転された場合には、メインメニューが１回転された後に、サブメニュー８０において選択されたメニュー項目に対応するメニュー項目が先頭位置に来るように回転が停止されるようにしてもよい。
【００６４】
また、図９に示す画面では、メインメニューおよびサブメニューとしてメニュー項目を表示するようにしたが、メニュー項目以外の情報を表示して選択できるようにしてもよい。
【００６５】
また、以上の実施形態では、ハードウエアボタン３３ａが操作された場合にはオーディオ操作領域７０を表示するようにしたが、オーディオのみならず映像に関する制御を行うためのソフトウエアボタンを併せて表示するようにしてもよい。また、ハードウエアボタン３３ａが１回操作された場合に、オーディオ操作領域７０を表示するようにしたが、図４の最上段に示す画面に表示したり、図４の最下段の画面、または、これら以外の画面に表示したりするようにしてもよい。
【図面の簡単な説明】
【００６６】
【図１】実施形態の情報端末装置の外観図である。
【図２】情報端末装置の電気的な構成例を示すブロック図である。
【図３】メニューの階層構造を示す図である。
【図４】表示画面の階層構造を示す図である。
【図５】起動時または「ＨＯＭＥ」ボタンが操作された場合に実行される処理の流れを説明するフローチャートである。
【図６】ホームメニュー画面の一例である。
【図７】「ＦＵＮＣＴＩＯＮ」ボタンが操作された場合に実行される処理の流れを説明するフローチャートである。
【図８】図６の画面において「ＦＵＮＣＴＩＯＮ」ボタンが操作された場合に表示される画面の表示例である。
【図９】図８の画面において「ＦＵＮＣＴＩＯＮ」ボタンが操作された場合に表示される画面の表示例である。
【図１０】図９の画面において「ＴＯＯＬ」が選択された場合に表示される画面の表示例である。
【図１１】「ＭＡＰ」ボタンが操作された場合に実行される処理の流れを説明するフローチャートである。
【図１２】地図画面の表示例である。
【図１３】図１２の画面において「ＦＵＮＣＴＩＯＮ」ボタンが操作された場合に表示される画面の表示例である。
【図１４】図１３の画面において「ＦＵＮＣＴＩＯＮ」ボタンが操作された場合に表示される画面の表示例である。
【図１５】図１４の画面において「ＰＡＲＫＩＮＧ」が右になぞられた場合に表示される画面の表示例である。
【図１６】図１５の画面において「ＲＥＳＴＡＵＲＡＮＴ」が選択された場合に表示される画面の表示例である。
【図１７】音楽画面の表示例である。
【図１８】図１７の画面においてアイコンが選択された場合に表示される画面の表示例である。
【図１９】図１８の画面において「ＦＵＮＣＴＩＯＮ」ボタンが操作された場合に表示される画面の表示例である。
【図２０】図１９の画面において「ＦＵＮＣＴＩＯＮ」ボタンが操作された場合に表示される画面の表示例である。
【図２１】図２０に示す画面において「ＪＡＺＺ」が選択された場合に表示される画面の表示例である。
【図２２】図２１に示す画面において「ＪＡＺＺ」がなぞられた後に「ＰＯＰＳ」が選択された場合に表示される画面の表示例である。
【図２３】ホームページ画面の表示例である。
【図２４】図２３の画面において「ＦＵＮＣＴＩＯＮ」ボタンが操作された場合に表示される画面の表示例である。
【図２５】図２４の画面において「ＦＵＮＣＴＩＯＮ」ボタンが操作された場合に表示される画面の表示例である。
【符号の説明】
【００６７】
１０…情報端末装置
２０ａ…ＣＰＵ（制御手段）
２０ｂ…ＲＯＭ
２０ｃ…ＲＡＭ
２０ｄ…ＨＤＤ
２０ｅ…描画処理部
２０ｆ…Ｉ／Ｆ
２０ｇ…バス
３０…ＬＣＤ（表示操作部の一部、第１表示手段、第２表示手段）
３１…タッチパネル（表示操作部の一部）
３２…ＧＰＳ受信部
３３…入力部
３４…再生部
３５…接続端子
【図１】
0004962965.tif 000002
【図２】
0004962965.tif 000003
【図３】
0004962965.tif 000004
【図４】
0004962965.tif 000005
【図５】
0004962965.tif 000006
【図６】
0004962965.tif 000007
【図７】
0004962965.tif 000008
【図８】
0004962965.tif 000009
【図９】
0004962965.tif 000010
【図１０】
0004962965.tif 000011
【図１１】
0004962965.tif 000012
【図１２】
0004962965.tif 000013
【図１３】
0004962965.tif 000014
【図１４】
0004962965.tif 000015
【図１５】
0004962965.tif 000016
【図１６】
0004962965.tif 000017
【図１７】
0004962965.tif 000018
【図１８】
0004962965.tif 000019
【図１９】
0004962965.tif 000020
【図２０】
0004962965.tif 000021
【図２１】
0004962965.tif 000022
【図２２】
0004962965.tif 000023
【図２３】
0004962965.tif 000024
【図２４】
0004962965.tif 000025
【図２５】
0004962965.tif 000026